(57)【要約】【課題】構成の簡素化が可能で、かつ、効率よく放電灯を起動させることができるとともに、振動や騒音、輝度むらや内部電極の劣化が起こらないように放電灯を駆動させることが可能な放電灯点灯装置を提供する。【解決手段】放電灯点灯装置１００は、放電灯２００の動作を制御する装置であって、第１及び第２の部分１１，１２を含むコア部材１０と、コア部材１０に巻装された一次巻線２０及び二次巻線３０と、を含むイグナイタートランス２と、第１及び第２の部分１１，１２の少なくとも一方を移動させて、両者の位置関係を設定する駆動部４０と、を含む。駆動部４０は、放電灯２００の起動後に、第１の部分１１と第２の部分１２との間隔が広くなるように、第１及び第２の部分の少なくとも一方を移動させる。【選択図】図１
2008159304.tif 000002
【特許請求の範囲】
【請求項１】
放電灯の動作を制御する放電灯点灯装置であって、
第１及び第２の部分を含むコア部材と、前記コア部材に巻装された一次巻線及び二次巻線と、を含むイグナイタートランスと、
前記第１及び第２の部分の少なくとも一方を移動させて、両者の位置関係を設定する駆動部と、
を含み、
前記駆動部は、
前記放電灯の起動後に、前記第１の部分と前記第２の部分との間隔が広くなるように、前記第１及び第２の部分の少なくとも一方を移動させる放電灯点灯装置。
【請求項２】
請求項１記載の放電灯点灯装置において、
前記駆動部は、
前記放電灯の起動時に、前記第１の部分と前記第２の部分とが閉磁路型のコアを構成するように、前記第１及び第２の部分の位置関係を設定する放電灯点灯装置。
【請求項３】
請求項２記載の放電灯点灯装置において、
前記二次巻線は、前記第１の部分に巻装されており、
前記駆動部は、
前記放電灯の起動後に、前記第１の部分が開磁路型のコアとなるように、前記第１及び第２の部分の少なくとも一方を移動させる放電灯点灯装置。
【請求項４】
請求項１から請求項３のいずれかに記載の放電灯点灯装置において、
前記放電灯の起動を検出して起動通知信号を生成する起動通知信号生成部をさらに含み、
前記駆動部は、
前記起動通知信号に基づいて、前記第１及び第２の部分の間隔を広げる処理を開始する放電灯点灯装置。
【請求項５】
請求項１から請求項４のいずれかに記載の放電灯点灯装置において、
前記駆動部は、
前記放電灯の消灯後に、前記第１の部分と前記第２の部分との間隔が狭くなるように、前記第１及び第２の部分の少なくとも一方を移動させる放電灯点灯装置。
【請求項６】
請求項１から請求項５のいずれかに記載の放電灯点灯装置において、
前記放電灯の消灯を検出して消灯通知信号を生成する消灯通知信号生成部をさらに含み、
前記駆動部は、
前記消灯通知信号に基づいて、前記第１及び第２の部分の間隔を狭くする処理を開始する放電灯点灯装置。
【請求項７】
請求項１から請求項６のいずれかに記載の放電灯点灯装置において、
前記一次巻線は、両端子が電源側に接続されており、
前記二次巻線は、一方の端子が前記電源側に接続されており、他方の端子が前記放電灯側に接続されている放電灯点灯装置。
【請求項８】
請求項１から請求項７のいずれかに記載の放電灯点灯装置を有するプロジェクタ。
【発明の詳細な説明】
【技術分野】
【０００１】
本発明は、放電灯点灯装置、及び、プロジェクタに関する。
【背景技術】
【０００２】
プロジェクタや照明器具の光源として、内部で絶縁破壊を発生させることによって点灯動作を開始する放電灯（高電圧放電灯）が利用されることがある。
【０００３】
放電灯に関する技術として、放電灯に高電圧を印加して放電灯内部で絶縁破壊を起こし、放電灯を起動させる技術が知られている。また、放電灯の起動後に、交流電流・電圧で放電灯を駆動させ、放電灯の内部電極の片減りを防止して、放電灯の耐用期間を長くする技術が知られている。
【０００４】
ここで、放電灯の起動時に放電灯に高電圧を印加するための端子と、放電灯の駆動時に放電灯に交流を印加するための端子とを共用すれば、放電灯点灯装置の構成を簡素化することができる。
【特許文献１】特開２００５−１５８７９３号公報
【発明の開示】
【発明が解決しようとする課題】
【０００５】
高電圧を発生させるためには、インダクタンスの高いコイルを利用することが重要である。しかし、インダクタンスの高いコイルを介して、放電灯点灯装置に駆動用の交流電圧・電流を供給すると、コア部材の磁気力や、コイルのオーバーシュートやリンギングの影響が大きくなり、コア部材の振動や騒音、放電灯の輝度むらや、内部電極の劣化が発生するおそれがある。
【０００６】
本発明の目的は、構成の簡素化が可能で、かつ、効率よく放電灯を起動させることができるとともに、振動や騒音、輝度むらや内部電極の劣化が起こらないように放電灯を駆動させることが可能な放電灯点灯装置を提供することにある。
【課題を解決するための手段】
【０００７】
（１）本発明に係る放電灯点灯装置は、
放電灯の動作を制御する放電灯点灯装置であって、
第１及び第２の部分を含むコア部材と、前記コア部材に巻装された一次巻線及び二次巻線と、を含むイグナイタートランスと、
前記第１及び第２の部分の少なくとも一方を移動させて、両者の位置関係を設定する駆動部と、
を含み、
前記駆動部は、
前記放電灯の起動後に、前記第１の部分と前記第２の部分との間隔が広くなるように、前記第１及び第２の部分の少なくとも一方を移動させる。
【０００８】
本発明によると、放電灯の起動の前後で、二次巻線のインダクタンスが変化（低下）する。そのため、二次巻線を放電灯の起動と駆動に共用する場合にも、効率よく放電灯を起動させることができるとともに、振動や騒音、放電灯の輝度むらや内部電極の劣化が起こらないように放電灯を駆動させることが可能になる。
【０００９】
（２）この放電灯点灯装置において、
前記駆動部は、
前記放電灯の起動時に、前記第１の部分と前記第２の部分とが閉磁路型のコアを構成するように、前記第１及び第２の部分の位置関係を設定してもよい。
【００１０】
これによると、放電灯の起動時に二次巻線のインダクタンスを高くすることができるため、効率よく確実に、放電灯を起動させることができる。
【００１１】
（３）この放電灯点灯装置において、
前記二次巻線は、前記第１の部分に巻装されており、
前記駆動部は、
前記放電灯の起動後に、前記第１の部分が開磁路型のコアとなるように、前記第１及び第２の部分の少なくとも一方を移動させてもよい。
【００１２】
これによると、放電灯の起動後（駆動時）に二次巻線のインダクタンスを小さくすることができるため、振動や騒音、放電灯の輝度むらや内部電極の劣化が起こらないように、放電灯を駆動させることができる。
【００１３】
（４）この放電灯点灯装置において、
前記放電灯の起動を検出して起動通知信号を生成する起動通知信号生成部をさらに含み、
前記駆動部は、
前記起動通知信号に基づいて、前記第１及び第２の部分の間隔を広げる処理を開始してもよい。
【００１４】
（５）この放電灯点灯装置において、
前記駆動部は、
前記放電灯の消灯後に、前記第１の部分と前記第２の部分との間隔が狭くなるように、前記第１及び第２の部分の少なくとも一方を移動させてもよい。
【００１５】
（６）この放電灯点灯装置において、
前記放電灯の消灯を検出して消灯通知信号を生成する消灯通知信号生成部をさらに含み、
前記駆動部は、
前記消灯通知信号に基づいて、前記第１及び第２の部分の間隔を狭くする処理を開始してもよい。
【００１６】
（７）この放電灯点灯装置において、
前記一次巻線は、両端子が電源側に接続されており、
前記二次巻線は、一方の端子が前記電源側に接続されており、他方の端子が前記放電灯側に接続されていてもよい。
【００１７】
（８）本発明に係るプロジェクタは、上記いずれかの放電灯点灯装置を有する。
【発明を実施するための最良の形態】
【００１８】
以下、本発明を適用した実施の形態について図面を参照して説明する。ただし、本発明は以下の実施の形態に限定されるものではない。また、本発明は、以下の内容を自由に組み合わせたものを含むものとする。
【００１９】
図１〜図６は、本発明を適用した実施の形態に係る放電灯点灯装置１００について説明するための図である。なお、放電灯点灯装置１００は、放電灯２００の動作を制御する装置である。放電灯点灯装置１００は、放電灯２００に電力を供給する給電装置とみなしてもよい。以下、放電灯点灯装置１００について説明する。
【００２０】
１．放電灯点灯装置１００の構成
はじめに、本実施の形態に係る放電灯点灯装置１００の構成について説明する。
【００２１】
本実施の形態に係る放電灯点灯装置１００は、図１に示すように、イグナイターユニット１を含む。なお、イグナイターユニット１とは、放電灯２００を起動させるための高電圧を発生させる高電圧発生装置であってもよい。以下、イグナイターユニット１について説明する。
【００２２】
イグナイターユニット１は、図１に示すように、コア部材１０を有する。コア部材１０の材料は特に限定されるものではないが、例えば、フェライトによって構成されたフェライトコアであってもよい。コア部材１０は、後述する一次巻線２０及び二次巻線３０の軸（コア）となる部材である。コア部材１０は、第１の部分１１と第２の部分１２とを有する。第１及び第２の部分１１，１２は、相対的な位置関係を変更可能に構成されている。例えば、第１の部分１１は固定されていてもよく、第２の部分１２（のみ）が移動可能に構成されていてもよい（図３（Ａ）及び図３（Ｂ）参照）。
【００２３】
第１及び第２の部分１１，１２の形状は特に限定されるものではない。例えば、第１の部分１１は直線状であってもよく、第２の部分１２はＵ字形状（馬蹄形）であってもよい。また、第１及び第２の部分１１，１２は、図１に示すように、最も近接した時にギャップＧを有する形状をなしていてもよい。これにより、コア部材１０の飽和（磁気飽和）を防止することができる。
【００２４】
イグナイターユニット１は、図１に示すように、一次巻線２０及び二次巻線３０を有する。一次巻線２０及び二次巻線３０は、コア部材１０を軸とする巻線（コア部材１０に巻装された巻線）である。一次巻線２０は、コア部材１０のうち、第１及び第２の部分１１，１２のいずれを軸とする巻線であってもよい。また、二次巻線３０は、コア部材１０を構成する複数の部品のうち、第１の部分１１を軸とする巻線であってもよい。すなわち、第１及び第２の部分１１，１２のうち、二次巻線３０の軸となる部分を指して、第１の部分１１と称してもよい。なお、本実施の形態では、図１に示すように、一次巻線２０は二次巻線３０とともに第１の部分１１に巻装されていてもよく、第２の部分１２には配線が巻装されない構成としてもよい。
【００２５】
本実施の形態では、一次巻線２０は、図１に示すように、両端子が電源側に接続されていてもよい。一次巻線２０の両端子は、イグナイター回路２５（イグナイター回路２５及びインバータ回路５２）を介して、電源（可変直流電源５０）に接続されていてもよい。ここで、イグナイター回路２５とは、一次巻線２０にパルス電流を供給する回路である。ただし、変形例として、一次巻線２０の一方の端子は、接地されていてもよい。
【００２６】
図２には、イグナイター回路２５の具体的な回路構成の一例を示す。イグナイター回路２５は、図２に示すように、コンデンサ２６と、アレスタ２８とを含んでいてもよい。ここで、アレスタとは、閾値を超える電圧が印加されると放電する特性を備えた素子（スイッチング素子）である。イグナイター回路２５に電圧が印加されると、コンデンサ２６に電荷が蓄えられ、アレスタ２８に印加される電圧が上昇する。そして、アレスタ２８に印加される電圧が閾値を超えると、アレスタ２８が放電し、コンデンサ２６に蓄えられた電荷が一次巻線２０に供給され、一次巻線２０にパルス電流が流れる。すなわち、イグナイター回路２５を利用することで、一次巻線２０に、パルス電流を供給することができる。なお、イグナイター回路２５は、図示しないダイオードなどをさらに含んだ構成をなしていてもよい。
【００２７】
本実施の形態では、二次巻線３０は、一方の端子が電源側に接続され、他の端子が放電灯２００側に接続されていてもよい。なお、本実施の形態では、放電灯点灯装置１００は、２つの二次巻線３０を有していてもよく、それぞれの二次巻線３０の一方の端子（あわせて２つの端子）が放電灯２００に接続されていてもよい。このとき、２つの端子とは、それぞれ、起電力に対して逆の極性を示す端子であってもよい。すなわち、放電灯２００に接続される２つの端子のうち、一方の端子は、所与の磁束（一次巻線２０が生成する磁束）によって発生する起電力の正の電圧を印加する端子であり、他の端子は、当該所与の磁束によって発生する起電力の負の電圧を印加する端子であってもよい。これにより、放電灯２００に、起電力の約二倍の電圧を印加することが可能になる。ただし、放電灯点灯装置１００は、二次巻線３０を１つのみ有する形態としてもよい。
【００２８】
なお、本実施の形態では、コア部材１０（第１及び第２の部分１１，１２）、一次巻線２０、及び、二次巻線３０をあわせて、イグナイタートランス２と称してもよい。
【００２９】
本実施の形態に係る放電灯点灯装置１００は、図１に示すように、第１及び第２の部分１１，１２の少なくとも一方を移動させる駆動部４０を含む。駆動部４０は、第１及び第２の部分１１，１２を相対移動させる機構であるといえる。駆動部４０により、第１及び第２の部分１１，１２の相対的な位置関係を設定することができる。
【００３０】
駆動部４０は、駆動機構４２と、駆動機構４２を制御する駆動制御部４４とを含んでいてもよい。駆動機構４２は、例えば、電磁石を利用したプランジャーであってもよい。駆動機構４２は、プランジャーの可動部を繰り出し、又は、引き込むことによって、第１及び第２の部分１１，１２の相対的な位置関係を変更可能に構成されていてもよい。ただし、本発明に適用可能な駆動機構はこれに限定されるものではなく、既に公知となっているいずれかの駆動機構を適用することができる。そして、駆動制御部４４は、駆動機構４２の動作を制御して、第１及び第２の部分１１，１２の位置関係を設定する。
【００３１】
本実施の形態に係る放電灯点灯装置１００では、図３（Ａ）及び図３（Ｂ）に示すように、駆動部４０は、放電灯２００の起動後に、第１及び第２の部分１１，１２の間隔が広くなるように、第１及び第２の部分１１，１２の少なくとも一方を移動させる。例えば、駆動部４０は、放電灯２００の起動時に、第１の部分１１と第２の部分１２とが閉磁路型のコアを構成するように第１及び第２の部分１１，１２の位置関係を設定し、放電灯２００の起動後に第１及び第２の部分１１，１２の間隔を広げて（第２の部分１２を第１の部分１１から離して）、第１の部分１１が開磁路型のコアを構成するように第１及び第２の部分の位置関係を設定してもよい。
【００３２】
本実施の形態に係る放電灯点灯装置は、図１に示すように、可変直流電源５０とインバータ回路５２とを含む。可変直流電源５０は、入力電圧Ｖｉｎを受け付けて、電圧ＶＬを出力する。なお、可変直流電源５０は、一定の電力を出力するように制御される定電力電源であってもよい。そして、インバータ回路５２は、可変直流電源５０の出力を方形波交流電圧・電流に変え、イグナイターユニット１（一次巻線２０及び二次巻線３０）に供給する回路である。インバータ回路５２は、例えば、複数のスイッチ（スイッチＳ１〜スイッチＳ４）を含み、これらを周期的に切り替えることによって、直流電流（電圧）を方形波交流電流（電圧）に変換してもよい。
【００３３】
本実施の形態に係る放電灯点灯装置は、図１に示すように、制御回路６０を含む。制御回路６０は、可変直流電源５０の出力電圧・電流を検出し、可変直流電源５０が一定の電力を出力するように制御（定電力制御）する。また、制御回路６０は、インバータ回路５２のスイッチ（スイッチＳ１〜スイッチＳ４）を切り替えて、可変直流電源５０からの直流出力を方形波交流出力に変換する。なお、制御回路６０は、放電灯２００の状態（起動・点灯・消灯）を検出する検出部を含んでいてもよい。例えば、制御回路６０は、可変直流電源５０の出力電圧・電流に基づいて、放電灯２００の状態を検出してもよい。制御回路６０は、放電灯２００の起動を検出して起動通知信号を生成する起動通知信号生成部を有していてもよい。制御回路６０は、また、放電灯２００の消灯を検出して消灯通知信号を生成する消灯通知信号生成部を有していてもよい。さらに、制御回路６０は、駆動部４０を制御してもよい。制御回路６０は、駆動制御部４４へ駆動制御信号を出力し、駆動制御部４４は、該駆動制御信号に基づいて、駆動機構４２の動作を制御してもよい。制御部６０は、起動通知信号及び消灯通知信号に基づいて駆動制御信号を生成し、駆動制御部４４へ出力してもよい。
【００３４】
本実施の形態に係る放電灯点灯装置１００は、以上の構成をなしていてもよい。
【００３５】
２．放電灯点灯装置１００の動作
以下、図４及び図５を参照して、本実施の形態に係る放電灯点灯装置１００の動作について説明する。なお、図４は、放電灯点灯装置１００の動作を表すタイミングチャート図であり、図５は放電灯２００が起動する様子を説明するための図である。
【００３６】
（１）放電灯２００の起動時
本実施の形態に係る放電灯点灯装置１００は、放電灯２００の起動時に、一次巻線２０にパルス電流を供給する。これにより、二次巻線３０に高電圧を発生させ、発生した高電圧を放電灯２００に印加して放電灯２００の内部電極間で絶縁破壊を起こし、放電灯２００を起動する。
【００３７】
パルス電流は、イグナイター回路２５を利用して発生させることができる。例えば、スイッチＳ１，Ｓ４をオンにして、スイッチＳ２，Ｓ３をオフにする場合を考える。放電灯２００の起動前には、放電灯２００は消灯しているため、スイッチＳ１，Ｓ４がオンになっても放電灯２００には電流が流れず、可変直流電源５０の出力電圧ＶＬは高くなる。可変直流電源５０の出力電圧が高まって所定の値を超えると、イグナイター回路２５は動作を開始し、図５に示すように、一次巻線２０にパルス電流Ｉｉ（イグナイター電流）が供給される。
【００３８】
一次巻線２０にパルス電流Ｉｉが流れると、図５に示すように、コア部材１０に磁束ΦＩｉが発生し、二次巻線３０にパルス高電圧が発生する（誘導される）。なお、本実施の形態では、２つの二次巻線３０を有する。この２つの二次巻線３０によって、放電灯２００の第１の端子には＋Ｖｈｉが印加され、放電灯２００の第２の端子には−Ｖｈｉが印加される。また、放電灯２００の第１の端子には、予め、電圧ＶＬが印加されている。そのため、一次巻線２０にパルス電流Ｉｉが流れることで、第１の端子と第２の端子とに印加される電圧の差は、パルス高電圧Ｖｈｉの２倍に電圧ＶＬが加算された値となる。これにより、放電灯２００の両端子に高電圧が印加され、放電灯２００の内部で絶縁破壊が起こり、放電灯２００が起動する。
【００３９】
なお、放電灯点灯装置１００では、第１の部分１１と第２の部分１２とが閉磁路型のコアを構成するように配置された状態で、一次巻線２０にパルス電流を供給してもよい。これによると、第１の部分１１と第２の部分１２との磁気的な結びつきが強くなるため、一次巻線２０と二次巻線３０とのインダクタンスが大きくなり、効率よく確実に、二次巻線３０に高電圧を発生させることができる。
【００４０】
（２）放電灯２００の起動後
本実施の形態に係る放電灯点灯装置１００では、図３（Ａ）及び図３（Ｂ）に示すように、放電灯２００の起動後に、駆動部４０（駆動機構４２）によって第１及び第２の部分の少なくとも一方を移動させ、第１の部分１１と第２の部分１２との間隔を広くする。これにより、第１の部分１１を開磁路型のコアとしてもよい。すなわち、駆動部４０によって第１及び第２の部分１１，１２の少なくとも一方を移動させ、第１の部分１１が開磁路型のコアとなるように、第１及び第２の部分１１，１２の位置関係を設定してもよい。
【００４１】
本実施の形態に係る放電灯点灯装置１００は、放電灯２００の起動後に、二次巻線３０を介して可変直流電源５０の電力（インバータ回路５２の出力電圧）を放電灯２００に供給し、放電灯２００の点灯状態を維持する。すなわち、二次巻線３０を介して、放電灯２００に、方形波交流電圧・電流を供給する。交流電圧・電流によって放電灯２００の点灯状態を維持することで、放電灯２００の内部電極の片減りを防止することができ、放電灯２００の耐用期間（ランプ寿命）を長期化することができる。
【００４２】
放電灯点灯装置１００では、イグナイター回路２５を利用することで、かかる制御が可能になる。すなわち、放電灯点灯装置１００によると、放電灯２００の起動後は放電灯２００内を電流が流れるため、可変直流電源５０の出力電圧は低下する。これにより、イグナイター回路２５は動作を停止し、可変直流電源５０の電力を、二次巻線３０を介して放電灯２００に供給することができる。
【００４３】
そして、放電灯点灯装置１００では、二次巻線３０を、放電灯２００の起動と、放電灯２００の駆動（点灯状態の維持）のために利用する。そのため、放電灯点灯装置１００の構成を簡素化することが可能になる。
【００４４】
（３）放電灯２００の消灯後
本実施の形態に係る放電灯点灯装置１００では、放電灯２００の消灯後に、駆動部４０によって第１及び第２の部分の少なくとも一方を移動させ、第１及び第２の部分１１，１２の間隔を狭くしてもよい（図３（Ａ）参照）。例えば、第１の部分１１と第２の部分１２とによって閉磁路型のコアが構成されるように、第１及び第２の部分１１，１２の位置関係を設定してもよい。これにより、次の点灯動作に備えることができる。
【００４５】
３．放電灯点灯装置１００の奏する効果
以下、本実施の形態に係る放電灯点灯装置１００が奏する効果について説明する。
【００４６】
本実施の形態に係る放電灯点灯装置１００は、放電灯２００の起動時に、一次巻線２０に電流（パルス電流）を流すことによって二次巻線３０にパルス高電圧を発生させる。そして、この高電圧を放電灯２００に印加することによって、放電灯２００の内部で絶縁破壊を起こし、放電灯２００を起動させる。二次巻線３０に高電圧を発生させるためには、一次巻線２０及び二次巻線３０のコアであるコア部材１０（第１及び第２の部分１１，１２）のインダクタンスは大きい方が好ましい。
【００４７】
また、本実施の形態に係る放電灯点灯装置１００は、放電灯２００の起動後に、二次巻線３０を介して放電灯２００に交流方形波電圧・電流を供給し、放電灯２００の点灯状態を維持する。ここで、二次巻線３０はコイルを構成するので、二次巻線３０に交流方形波電流・電圧を供給すると、二次巻線３０のコア（第１の部分１１）には、ランプ電力と同じ波形（図４参照）の磁気力が発生する。ここで、磁気力が発生している間は、コア部材１０のギャップ間に引力が発生し、磁気力が消滅（低減）すると、ギャップ間の引力が消滅する（小さくなる）。すなわち、二次巻線３０に交流方形波電流・電圧を供給すると、ギャップ間に発生する引力が大きくなる期間と、ギャップ間に発生する引力が小さくなる（消滅する）期間とが繰り返されることになる。そして、二次巻線３０のインダクタンスが大きくなると、ギャップ間に発生する引力が大きくなり、供給される交流方形波電流・電圧が反転するたびにコア部材１０に振動や騒音を発生させるおそれがある。また、二次巻線３０がコイルを構成していることから、二次巻線３０に交流方形波電圧・電流を供給すると、オーバーシュートやリンギングが発生する。二次巻線３０のインダクタンスが大きいと、オーバーシュートやリンギングの影響が大きくなるため、電圧が反転するたびに放電灯２００に加わる電力が低下し（図４参照）、放電灯２００の輝度むらや、放電灯２００の内部電極の劣化を生じさせるおそれがある。
【００４８】
ところで、本実施の形態に係る放電灯点灯装置１００によると、放電灯２００の起動後に第１の部分１１と第２の部分１２との間隔が広くなるため、放電灯２００の起動後は、放電灯２００の起動時に比べ、二次巻線３０のインダクタンスが低下する。そのため、本発明によると、放電灯２００の起動後（放電灯２００の駆動時）に、二次巻線３０が巻設されたコア（第１の部分１１）に発生する磁気力が小さく、振動や騒音が発生しにくい放電灯点灯装置を提供することができる。また、本発明によると、インダクタンスが大きい二次巻線３０を利用して放電灯２００を起動し、かつ、インダクタンスが小さい巻線（二次巻線３０）を利用して放電灯２００を駆動することが可能になる。そのため、本発明によると、効率よく確実に放電灯２００を起動させることが可能で、かつ、輝度むらや内部電極の劣化が起こらないように放電灯２００を駆動させること（点灯状態を維持すること）が可能になる。
【００４９】
図６に、放電灯点灯装置１００を有する電子機器の一例として、プロジェクタ１０００の概略図を示す。放電灯点灯装置１００がプロジェクタ１０００に利用される場合、放電灯２００から出射された光は、図示しないライトバルブによって変調され、所定の光学系を構成する光学素子を介してスクリーン等に投射される。これにより、スクリーン等に、所望の画像が映し出される。
【００５０】
なお、本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００５１】
【図１】放電灯点灯装置の構成について説明するための図。
【図２】放電灯点灯装置の構成について説明するための図。
【図３】放電灯点灯装置の動作について説明するための図。
【図４】放電灯点灯装置の動作について説明するための図。
【図５】放電灯点灯装置の動作について説明するための図。
【図６】放電灯点灯装置を有するプロジェクタを示す図。
【符号の説明】
【００５２】
１…イグナイターユニット、  ２…イグナイタートランス、  １０…コア部材、  １１…第１の部分、  １２…第２の部分、  ２０…一次巻線、  ２５…イグナイター回路、  ２６…コンデンサ、  ２８…アレスタ、  ３０…二次巻線、  ４０…駆動部、  ４２…駆動機構、  ４４…駆動制御部、  ５０…可変直流電源、  ５２…インバータ回路、  ６０…制御回路、  １００…放電灯点灯装置、  ２００…放電灯、  １０００…プロジェクタ
【図１】
2008159304.tif 000003
【図２】
2008159304.tif 000004
【図３】
2008159304.tif 000005
【図４】
2008159304.tif 000006
【図５】
2008159304.tif 000007
【図６】
2008159304.tif 000008